【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
変調信号を送受信するＭ（Ｍは２以上の整数）本のアンテナ素子からなるアレーアンテナと、
他の無線通信装置から送信された変調信号に含まれる既知のシンボルと同一のシンボルであって、位相基準を与える基準シンボルを生成する基準シンボル生成手段と、
前記基準シンボルに基づいて、前記変調信号から前記アレーアンテナと前記他の無線通信装置のアレーアンテナとの間のＭ個の複素伝搬チャネルの推定値を生成する伝搬チャネル推定手段と、
前記Ｍ個の複素伝搬チャネルの推定値からＭ個の送信シンボルを生成し、前記送信シンボルの組合せが複数組記載された参照テーブルを生成する送信シンボル算出手段と、
送信すべきデータに基づいて、前記参照テーブルから一組の送信シンボルを選択するシンボルマッピング手段と、
前記選択された一組の送信シンボルから、送信する変調信号を生成する変調手段と
を有する無線通信装置。
【請求項２】
前記変調信号はマルチキャリア変調信号であり、
前記Ｍ本のアンテナ素子で受信した変調信号を、Ｎ（Ｎは２以上の整数）本のサブキャリアに分離するキャリア分離手段をさらに有し、
前記伝搬チャネル推定手段は、
前記基準シンボルに基づいて、前記Ｎ本のサブキャリアからＭ×Ｎ個の複素伝搬チャネルの推定値を生成し、
前記送信シンボル算出手段は、
前記Ｍ×Ｎ個の複素伝搬チャネルの推定値から、前記Ｎ本のサブキャリア毎に、Ｍ個の送信シンボルを生成し、
前記Ｎ本のサブキャリア毎に、前記送信シンボルの組合せが複数組記載された参照テーブルを生成し、
前記シンボルマッピング手段は、
送信すべきデータに基づいて、前記Ｎ個の参照テーブルから、それぞれ一組の送信シンボルを選択し、
前記変調手段は、
前記選択されたＮ組の送信シンボルから、送信するマルチキャリア変調信号を生成する
請求項１に記載の無線通信装置。
【請求項３】
前記伝搬チャネル推定手段は、
前記Ｍ本のアンテナ素子で受信した変調信号に対して、Ｎ（Ｎは２以上の整数）個の拡散符号を用いて逆拡散分離した後、前記基準シンボルに基づいて、Ｍ×Ｎ個の複素伝搬チャネルの推定値を生成し、
前記送信シンボル算出手段は、前記Ｍ×Ｎ個の複素伝搬チャネルの推定値から、前記Ｎ個の拡散符号毎に、Ｍ個の送信シンボルを生成し、前記Ｎ本の拡散符号毎に、前記送信シンボルの組合せが複数組記載された参照テーブルを生成し、
前記シンボルマッピング手段は、秘匿情報を含む送信データに基づいて、前記Ｎ個の参照テーブルから、それぞれ一組の送信シンボルベクトルを選択し、
変調手段は、前記選択されたＮ組の送信シンボルから、前記Ｎ個の逆拡散符号を用いた送信する変調信号を生成する
請求項１に記載の無線通信装置。
【請求項４】
前記アレーアンテナを構成する前記Ｍ本のアンテナ素子は、互いに異なる指向性パターン、あるいは、互いに異なる偏波を有する
請求項１乃至３のいずれかに記載の無線通信装置。
【請求項５】
前記送信シンボル算出手段は、前記他の無線局における受信電力および位相のいずれか一方を制御するための前記複数組のシンボルベクトルを生成する
請求項１乃至４のいずれかに記載の無線通信装置。
【請求項６】
変調信号を第１の無線通信装置から第２の無線通信装置に送信する無線通信方法であって、
変調信号を送受信するＭ（Ｍは２以上の整数）本のアンテナ素子からなるアレーアンテナを有する第１の無線通信装置が、
前記第２の無線通信装置から送信された変調信号に含まれる既知のシンボルと同一のシンボルであって、位相基準を与える基準シンボルを生成する基準シンボル生成ステップと、前記基準シンボルに基づいて、前記変調信号から前記アレーアンテナと前記第２の無線通信装置のアレーアンテナとの間のＭ個の複素伝搬チャネルの推定値を生成する伝搬チャネル推定ステップと、
前記Ｍ個の複素伝搬チャネルの推定値からＭ個の送信シンボルを生成し、前記送信シンボルの組合せが前記複数組記載された参照テーブルを生成する送信シンボル算出ステップと、
送信すべきデータに基づいて、前記参照テーブルから一組の送信シンボルを選択するシンボルマッピングステップと、
前記選択された一組の送信シンボルから、送信する変調信号を生成する変調ステップと
を有する無線通信方法。
【手続補正２】
【補正対象書類名】明細書
【補正対象項目名】発明の名称
【補正方法】変更
【補正の内容】
【発明の名称】無線通信装置及び無線通信方法
【手続補正３】
【補正対象書類名】明細書
【補正対象項目名】０００９
【補正方法】変更
【補正の内容】
【０００９】
かかる課題を解決するための本発明に係る無線通信装置は、変調信号を送受信するＭ（Ｍは２以上の整数）本のアンテナ素子からなるアレーアンテナと、他の無線通信装置から送信された変調信号に含まれる既知のシンボルと同一のシンボルであって、位相基準を与える基準シンボルを生成する基準シンボル生成手段と、前記基準シンボルに基づいて、前記変調信号から前記アレーアンテナと前記他の無線通信装置のアレーアンテナとの間のＭ個の複素伝搬チャネルの推定値を生成する伝搬チャネル推定手段と、前記Ｍ個の複素伝搬チャネルの推定値からＭ個の送信シンボルを生成し、前記送信シンボルの組合せが複数組記載された参照テーブルを生成する送信シンボル算出手段と、送信すべきデータに基づいて、前記参照テーブルから一組の送信シンボルを選択するシンボルマッピング手段と、前記選択された一組の送信シンボルから、送信する変調信号を生成する変調手段と、を有する。
【手続補正４】
【補正対象書類名】明細書
【補正対象項目名】００１１
【補正方法】変更
【補正の内容】
【００１１】
また、本発明に係る無線送信装置の変調信号はマルチキャリア変調信号であり、Ｍ本のアンテナ素子で受信した変調信号を、Ｎ（Ｎは２以上の整数）本のサブキャリアに分離するキャリア分離手段をさらに有し、前記伝搬チャネル推定手段は、基準シンボルに基づいて、前記Ｎ本のサブキャリアからＭ×Ｎ個の複素伝搬チャネルの推定値を生成し、前記送信シンボル算出手段は、前記Ｍ×Ｎ個の複素伝搬チャネルの推定値から、前記Ｎ本のサブキャリア毎に、Ｍ個の送信シンボルを生成し、前記Ｎ本のサブキャリア毎に、前記送信シンボルの組合せが複数組記載された参照テーブルを生成し、前記シンボルマッピング手段は、送信すべきデータに基づいて、前記Ｎ個の参照テーブルから、それぞれ一組の送信シンボルを選択し、前記変調手段は、前記選択されたＮ組の送信シンボルから、送信するマルチキャリア変調信号を生成することを特徴としている。
【手続補正５】
【補正対象書類名】明細書
【補正対象項目名】００１２
【補正方法】変更
【補正の内容】
【００１２】
この構成によれば、複雑な移動通信の伝搬環境において、秘匿情報を含む送信データの送信対象である無線局と間でのみ共有する伝搬チャネル特性を、マルチキャリアを構成するサブキャリア毎に受信信号から得られるチャネル推定値で特徴づけることが可能となるので、同時に最大サブキャリア数分のデータがパラレルに伝送でき、高いセキュリティで秘匿情報を短時間に伝送することができる。
【手続補正６】
【補正対象書類名】明細書
【補正対象項目名】００１３
【補正方法】変更
【補正の内容】
【００１３】
また、本発明に係る無線通信装置の伝搬チャネル推定手段は、Ｍ本のアンテナ素子で受信した変調信号に対して、Ｎ（Ｎは２以上の整数）個の拡散符号を用いて逆拡散分離した後、基準シンボルに基づいて、Ｍ×Ｎ個の複素伝搬チャネルの推定値を生成し、前記送信シンボル算出手段は、前記Ｍ×Ｎ個の複素伝搬チャネルの推定値から、前記Ｎ個の拡散符号毎に、Ｍ個の送信シンボルを生成し、前記Ｎ本の拡散符号毎に、前記送信シンボルの組
合せが複数組記載された参照テーブルを生成し、前記シンボルマッピング手段は、秘匿情報を含む送信データに基づいて、前記Ｎ個の参照テーブルから、それぞれ一組の送信シンボルベクトルを選択し、変調手段は、前記選択されたＮ組の送信シンボルから、前記Ｎ個の逆拡散符号を用いた送信する変調信号を生成することを特徴としている。
【手続補正７】
【補正対象書類名】明細書
【補正対象項目名】００１５
【補正方法】変更
【補正の内容】
【００１５】
また、本発明に係る無線通信装置のアレーアンテナを構成するＭ本のアンテナ素子は、互いに異なる指向性パターン、あるいは、互いに異なる偏波を有している。
【手続補正８】
【補正対象書類名】明細書
【補正対象項目名】００２２
【補正方法】変更
【補正の内容】
【００２２】
また本発明に係る無線通信装置は、送信シンボル算出手段は、他の無線局における受信電力および位相のいずれか一方を制御するための複数組のシンボルベクトルを生成している。
【手続補正９】
【補正対象書類名】明細書
【補正対象項目名】００２４
【補正方法】変更
【補正の内容】
【００２４】
本発明に係る無線通信装置は、受信信号から伝搬パラメータを推定する伝搬パラメータ推定手段と、伝搬パラメータに基づいて送信データを復元するシンボル判定手段とを有している。
【手続補正１０】
【補正対象書類名】明細書
【補正対象項目名】００２５
【補正方法】変更
【補正の内容】
【００２５】
また、本発明に係る無線通信装置の受信信号はマルチキャリアからなり、前記受信信号から複数のサブキャリアに分離するキャリア分離手段をさらに有し、伝搬パラメータ推定手段が、サブキャリア毎に伝搬パラメータを推定し、シンボル判定手段がサブキャリア毎に受信信号から送信データを復元している。
【手続補正１１】
【補正対象書類名】明細書
【補正対象項目名】００２６
【補正方法】変更
【補正の内容】
【００２６】
また、本発明に係る無線通信装置は、サブキャリアが、周波数空間で互いに直交するように構成されたＯＦＤＭ信号、および符号空間で互いに直交するように構成されたＣＤＭＡ信号のいずれか一方である。
【手続補正１２】
【補正対象書類名】明細書
【補正対象項目名】００２７
【補正方法】変更
【補正の内容】
【００２７】
また、本発明に係る無線通信装置は、少なくとも１以上のアンテナ素子で創世されるアレーアンテナを有し、伝搬パラメータ推定手段がアンテナ毎に伝搬パラメータを推定している。
【手続補正１３】
【補正対象書類名】明細書
【補正対象項目名】００２８
【補正方法】変更
【補正の内容】
【００２８】
また、本発明の無線通信装置は、受信したベースバンド信号を直交検波することにより、複素シンボルである受信シンボルを生成する伝搬パラメータ推定手段と、受信シンボルからあらかじめ定めた判定基準に基づいて送信データを復元するシンボル判定手段を有している。
【手続補正１４】
【補正対象書類名】明細書
【補正対象項目名】００３０
【補正方法】変更
【補正の内容】
【００３０】
また、本発明の無線通信装置のベースバンド信号はマルチキャリアからなり、ベースバンド信号をＮ（Ｎは２以上の整数）本のサブキャリア成分に分離するキャリア分離手段をさらに有し、前記キャリア分離手段がサブキャリアに分離した後、前記伝搬パラメータ推定手段がサブキャリア毎に受信シンボルを生成する。
【手続補正１５】
【補正対象書類名】明細書
【補正対象項目名】００３２
【補正方法】変更
【補正の内容】
【００３２】
また、本発明の無線通信装置のシンボル判定手段は、ベースバンド信号をＮ（Ｎは２以上の整数）個の拡散符号を用いて逆拡散処理した後、あらかじめ定めた判定基準に基づいて送信データを復元する。
【手続補正１６】
【補正対象書類名】明細書
【補正対象項目名】００３４
【補正方法】変更
【補正の内容】
【００３４】
また、本発明の無線通信装置のシンボル判定手段は、アンテナの受信電力に基づいてシンボルを判定する。
【手続補正１７】
【補正対象書類名】明細書
【補正対象項目名】００４０
【補正方法】変更
【補正の内容】
【００４０】
また、本発明に係る無線通信方法は、送信データをシングルキャリア変調方式により第１の無線局から第２の無線局に送信する無線通信システムであって、第１の無線局から第２の無線局に秘匿情報を含む送信データを無線伝送する場合、第１の無線局と第２の無線局の間でのみ共有する伝搬チャネルのパラメータを推定する伝搬チャネル推定手段と、推定した伝搬チャネルのパラメータに送信信号を重畳して、第１の無線局から第２の無線局へ送信データを送信する送信手段とを有する第１の無線局と、複数のアンテナの受信信号から得られる複数の伝搬パラメータを算出する伝搬パラメータ推定手段と、算出した複数の伝搬パラメータに基づいて第１の無線局からの送信データを復元するシンボル判定手段とを有する第２の無線局とを備えている。
また、本発明に係る無線通信方法は、変調信号を第１の無線通信装置から第２の無線通信装置に送信する無線通信方法であって、変調信号を送受信するＭ（Ｍは２以上の整数）本のアンテナ素子からなるアレーアンテナを有する第１の無線通信装置が、前記第２の無線通信装置から送信された変調信号に含まれる既知のシンボルと同一のシンボルであって、位相基準を与える基準シンボルを生成する基準シンボル生成ステップと、前記基準シンボルに基づいて、前記変調信号から前記アレーアンテナと前記第２の無線通信装置のアレーアンテナとの間のＭ個の複素伝搬チャネルの推定値を生成する伝搬チャネル推定ステップと、前記Ｍ個の複素伝搬チャネルの推定値からＭ個の送信シンボルを生成し、前記送信シンボルの組合せが前記複数組記載された参照テーブルを生成する送信シンボル算出ステップと、送信すべきデータに基づいて、前記参照テーブルから一組の送信シンボルを選択するシンボルマッピングステップと、前記選択された一組の送信シンボルから、送信する変調信号を生成する変調ステップと、を有する。
【手続補正１８】
【補正対象書類名】明細書
【補正対象項目名】０１４６
【補正方法】変更
【補正の内容】
【０１４６】
また、ｗ２のみで送信する場合の受信信号を数式で表すと（式１０）のようになり、受信シンボル４１０ａの電力はほぼ零に等しく、一方で受信シンボル４１０ｂの電力はほぼ｜ｓ２｜2に等しい。
【手続補正１９】
【補正対象書類名】明細書
【補正対象項目名】０１７９
【補正方法】変更
【補正の内容】
【０１７９】
図１０において、既知シンボル生成手段１０００は、サブキャリア成分８０３ａ〜８０３ｈのそれぞれに対して送信局８０１と受信局８０２間で共有する既知のシンボル１００１を生成するものであり、マルチキャリア変調手段１００２はサブキャリア成分８０３ａ〜８０３ｈを用いて既知のシンボル１００１を送信のベースバンド信号１００３へと変調するものであり、周波数変換手段１００４は送信のベースバンド信号１００４を送信のＲＦ信号１００５へと変換したり、アンテナ２０４ａで受信したＲＦ信号をベースバンド信号１００８ａへ変換するものである。伝搬パラメータ推定手段１００９は、受信のベースバンド信号１００８ａを直交検波により複素シンボルである受信シンボル１０１０ａ乃至１０１０ｈを生成するものであり、シンボル判定手段４１１は、受信シンボル１０１０ａ乃至１０１０ｈについて予め定めておいた判定基準に基づいてシンボルの判定処理を行うものであり、アンテナ２０４ａはＲＦ信号１００５をマルチキャリア変調信号１００６ａとして発信するものである。